Podtech/llm-jp-corpus-v4-ja_patent huggingface dataset:
【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
抗Ａｎｇ２抗体またはその機能的部分を含む、患者におけるがんを治療するかまたは血管新生を阻害するための組成物であって、
前記抗Ａｎｇ２抗体またはその機能的部分は約２００ｍｇ〜約１５００ｍｇの用量で投与される、前記組成物。
【請求項２】
前記抗体またはその機能的部分がＭＥＤＩ１／５と同じ重鎖および軽鎖ＣＤＲを含む、請求項１に記載の組成物。
【請求項３】
前記抗体またはその機能的部分がＭＥＤＩ１／５またはその機能的部分である、請求項２に記載の組成物。
【請求項４】
前記抗Ａｎｇ２抗体またはその機能的部分が約２００ｍｇ〜約１０００ｍｇの用量で投与される、請求項３に記載の組成物。
【請求項５】
前記抗Ａｎｇ２抗体またはその機能的部分が約３００ｍｇ〜約１５００ｍｇの用量で投与される、請求項３に記載の組成物。
【請求項６】
前記抗Ａｎｇ２抗体またはその機能的部分が約１０００ｍｇ〜約１５００ｍｇの用量で投与される、請求項５に記載の組成物。
【請求項７】
前記抗Ａｎｇ２抗体またはその機能的部分が約１０００ｍｇの用量で投与される、請求項６に記載の組成物。
【請求項８】
前記抗Ａｎｇ２抗体またはその機能的部分が約１５００ｍｇの用量で投与される、請求項６に記載の組成物。
【請求項９】
前記抗Ａｎｇ２抗体またはその機能的部分が約６０〜約９０分にわたり静脈内注入で投与される、請求項３に記載の組成物。
【請求項１０】
前記患者が複数回投与を受ける、請求項３に記載の組成物。
【請求項１１】
前記投与サイクルが約１４日毎である、請求項１０に記載の組成物。
【請求項１２】
前記投与サイクルが約２１日毎である、請求項１０に記載の組成物。
【請求項１３】
前記抗Ａｎｇ２が少なくとも１つの追加的治療薬と同時投与される、請求項３に記載の組成物。
【請求項１４】
少なくとも１つの追加的治療薬が、カルボプラチン、カペシタビン、ゲムシタビン、またはパクリタキセルの少なくとも１つから選択される、請求項１３に記載の組成物。
【請求項１５】
少なくとも１つの追加的治療薬がカルボプラチンおよびパクリタキセルである、請求項１４に記載の組成物。
【請求項１６】
少なくとも１つの追加的治療薬がセジラニブである、請求項１３に記載の組成物。
【請求項１７】
少なくとも１つの追加的治療薬が抗ＶＥＧＦ抗体またはその機能的部分である、請求項１３に記載の組成物。
【請求項１８】
前記抗体がベバシズマブである、請求項１７に記載の組成物。
【請求項１９】
前記患者が卵巣がんを有する、請求項３に記載の組成物。
【請求項２０】
前記患者が多形神経膠芽腫を有する、請求項３に記載の組成物。
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
Ｋｌｅｂｓｉｅｌｌａ  ｐｎｅｕｍｏｎｉａｅの死滅細胞全体又は弱毒化細胞を含む、微生物病原体による脊椎動物宿主の肺組織における感染の治療的又は予防的処置に使用するための抗原性製剤であって、
前記微生物病原体が、Ｓｔｒｅｐｔｏｃｏｃｃｕｓ  ｐｎｅｕｍｏｎｉａｅ、Ｐｓｅｕｄｏｍｏｎａｓ ａｅｒｕｇｉｎｏｓａ、又はウイルス性の肺病原体であり、
前記抗原性製剤が、前記宿主の免疫系を調節するための有効量で投与部位に投与され、かつ、少なくとも１時間の投薬間隔で付与される連続投薬で投与され、その結果、２又は３以上の用量が、２日〜１ヶ月の期間にわたって、少なくとも１週間の投薬期間にわたって投与される、前記抗原性製剤。
【請求項２】
投与部位が、皮膚又は皮下組織である、請求項１に記載の抗原性製剤。
【請求項３】
投与部位が、腸内、非腸内、又は気道である、請求項１に記載の抗原性製剤。
【請求項４】
投与部位が、肺でない、請求項１に記載の抗原性製剤。
【請求項５】
投薬期間が、少なくとも２週間である、請求項１〜４のいずれかに記載の抗原性製剤。
【請求項６】
各用量が投与部位において限局性の炎症性免疫応答を引き起こすのに有効であるように投与される、請求項１〜５のいずれかに記載の抗原性製剤。
【請求項７】
投与部位における可視限局性炎症が１〜４８時間以内に起こるように投与され、
任意で毎日又は一日おきに皮下投与される、請求項６に記載の抗原性製剤。
【請求項８】
微生物病原体による感染に対する防御免疫を付与するのに有効な投薬計画で投与される、請求項１〜７のいずれかに記載の抗原性製剤。
【請求項９】
宿主が、ヒト患者であり、
任意で前記患者が、免疫抑制又は免疫不全状態にある、請求項１〜８のいずれかに記載の抗原性製剤。
【請求項１０】
患者が、高齢患者又は小児患者である、請求項９に記載の抗原性製剤。
【請求項１１】
患者が、院内感染のリスクがある、請求項９又は１０に記載の抗原性製剤。
【請求項１２】
第２異種微生物病原体に特異的な抗原決定基を含む、第１微生物病原体による脊椎動物宿主の標的組織における感染の治療的又は予防的処置に使用するための抗原性製剤であって、
前記抗原性製剤が、前記宿主の免疫系を調節するための有効量で投与部位に投与され、かつ、少なくとも１時間の投薬間隔で付与される連続投薬で投与され、その結果、２又は３以上の用量が、２日〜１ヶ月の期間にわたって、少なくとも１週間の投薬期間にわたって投与され、
前記第１微生物病原体が、Ｓｔｒｅｐｔｏｃｏｃｃｕｓ  ｐｎｅｕｍｏｎｉａｅ又はＰｓｅｕｄｏｍｏｎａｓ  ａｅｒｕｇｉｎｏｓａであり、前記第２異種微生物病原体が、Ｋｌｅｂｓｉｅｌｌａ  ｐｎｅｕｍｏｎｉａｅであり、かつ、前記標的組織が、肺であるか；或いは
前記第１微生物病原体が、Ｐｓｅｕｄｏｍｏｎａｓ  ａｅｒｕｇｉｎｏｓａであり、前記第２異種微生物病原体が、Ｓｔｒｅｐｔｏｃｏｃｃｕｓ ａｕｒｅｕｓであり、かつ、前記標的組織が皮膚であるか；或いは
前記第１微生物病原体が、ウイルス性の肺病原体であり、前記第２異種微生物病原体が、Ｋｌｅｂｓｉｅｌｌａ  ｐｎｅｕｍｏｎｉａｅであり、前記標的組織が肺であり；
任意で前記宿主がヒト患者である、前記抗原性製剤。
【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
患者におけるＣ型肝炎ウイルス（ＨＣＶ）感染症を治療するための治療用組合せであって、
（ａ）ファルダプレビルまたは医薬として許容されるその塩と、
（ｂ）ソホスブビルと、
（ｃ）レジパスビルと
を含み、かつ
（ｄ）リバビリン
を含んでもよい、治療用組合せ。
【請求項２】
ＨＣＶ感染症が、遺伝子型１である、請求項１に記載の治療用組合せ。
【請求項３】
前記患者が、治療を受けていない患者である、請求項１または２に記載の治療用組合せ。
【請求項４】
前記患者が、治療を経験した患者である、請求項１または２に記載の治療用組合せ。
【請求項５】
前記患者のＨＣＶ−ＲＮＡレベルが、治療の結果、血清または血漿１ｍｌ当たり２５国際単位（ＩＵ）未満のレベルまで低下する、請求項１から４のいずれか１項に記載の治療用組合せ。
【請求項６】
ファルダプレビルまたは医薬として許容されるその塩が、約８０ｍｇ／日から約２４０ｍｇ／日の間の用量で投与される、請求項１から５のいずれか１項に記載の治療用組合せ。
【請求項７】
ソホスブビルが、約３００ｍｇ／日から約５００ｍｇ／日の間の用量で投与される、請求項１から６のいずれか１項に記載の治療用組合せ。
【請求項８】
レジパスビルが、約８０ｍｇ／日から約１００ｍｇ／日の間の用量で投与される、請求項１から７のいずれか１項に記載の治療用組合せ。
【請求項９】
（ａ）ファルダプレビルまたは医薬として許容されるその塩が１２０ｍｇ／日の用量で投与され、
（ｂ）ソホスブビルが４００ｍｇ／日の用量で投与され、かつ
（ｃ）レジパスビルが９０ｍｇ／日の用量で投与される、
請求項１から８のいずれか１項に記載の治療用組合せ。
【請求項１０】
ファルダプレビルが、そのナトリウム塩の形態で投与される、請求項１から９のいずれか１項に記載の治療用組合せ。
【請求項１１】
ソホスブビルとレジパスビルとが、単一の剤形に含まれており、
ファルダプレビルまたは医薬として許容されるその塩が、別の剤形に含まれている、請求項１から１０のいずれか１項に記載の治療用組合せ。
【請求項１２】
６週間以下の間で投与される、請求項１から１１のいずれか１項に記載の治療用組合せ。
【請求項１３】
４週間以下の間で投与される、請求項１から１２のいずれか１項に記載の治療用組合せ。
【請求項１４】
ＨＣＶ感染症の治療に使用される医薬組成物であって、ソホスブビル、レジパスビルと一緒に使用され、かつリバビリンと一緒に使用されてもよく、ファルダプレビルまたは医薬として許容されるその塩を含む、医薬組成物。
【請求項１５】
ＨＣＶ感染症の治療に使用される医薬組成物であって、ファルダプレビルまたは医薬として許容されるその塩、およびレジパスビルと一緒に使用され、かつリバビリンと一緒に使用されてもよく、ソホスブビルを含む、医薬組成物。
【請求項１６】
ＨＣＶ感染症の治療に使用される医薬組成物であって、ファルダプレビルまたは医薬として許容されるその塩、およびソホスブビルと一緒に使用され、かつリバビリンと一緒に使用されてもよく、レジパスビルを含む、医薬組成物。
【手続補正２】
【補正対象書類名】明細書
【補正対象項目名】００４７
【補正方法】変更
【補正の内容】
【００４７】
結論：この都心部の患者個体群において、第３の抗ウイルス剤を加えると、治療困難な患者個体群において、６週のうちにＨＣＶを首尾よく根絶することができた。本研究は、ＨＣＶの治療期間を短縮するための組合せ療法の新たなパラダイムを提示し、これは、ＨＣＶの治療および根絶において、世界的に強力なものでありうる。
本発明はまた以下の事項を含んでいる。
［項目１］
患者におけるＣ型肝炎ウイルス（ＨＣＶ）感染症を治療する方法であって、
（ａ）ファルダプレビルまたは医薬として許容されるその塩と、
（ｂ）ソホスブビルと、
（ｃ）レジパスビルと
を含み、かつ
（ｄ）リバビリン
を含んでもよい治療用組合せを患者に投与するステップを含む方法。
［項目２］
ＨＣＶ感染症が、遺伝子型１である、項目１に記載の方法。
［項目３］
前記患者が、治療を受けていない患者である、項目１または２に記載の方法。
［項目４］
前記患者が、治療を経験した患者である、項目１または２に記載の方法。
［項目５］
前記患者のＨＣＶ−ＲＮＡレベルが、治療の結果、血清または血漿１ｍｌ当たり２５国際単位（ＩＵ）未満のレベルまで低下する、項目１から４のいずれか１項に記載の方法。
［項目６］
ファルダプレビルまたは医薬として許容されるその塩が、約８０ｍｇ／日から約２４０ｍｇ／日の間の用量で投与される、項目１から５のいずれか１項に記載の方法。
［項目７］
ソホスブビルが、約３００ｍｇ／日から約５００ｍｇ／日の間の用量で投与される、項目１から６のいずれか１項に記載の方法。
［項目８］
レジパスビルが、約８０ｍｇ／日から約１００ｍｇ／日の間の用量で投与される、項目１から７のいずれか１項に記載の方法。
［項目９］
治療の方法が、
（ａ）ファルダプレビルまたは医薬として許容されるその塩を１２０ｍｇ／日の用量で、
（ｂ）ソホスブビルを４００ｍｇ／日の用量で、かつ
（ｃ）レジパスビルを９０ｍｇ／日の用量で
投与することを含む、項目１から８のいずれか１項に記載の方法。
［項目１０］
ファルダプレビルが、そのナトリウム塩の形態で投与される、項目１から９のいずれか１項に記載の方法。
［項目１１］
投与される治療用組合せが、ファルダプレビルまたは医薬として許容されるその塩と、ソホスブビルと、レジパスビルとの投与を含む３重の組合せ療法である、項目１から１０のいずれか１項に記載の方法。
［項目１２］
ソホスブビルとレジパスビルとが、単一の剤形において一緒に投与され、かつファルダプレビルまたは医薬として許容されるその塩が、別の剤形において投与される、項目１から１１のいずれか１項に記載の方法。
［項目１３］
投与が、６週間以下の間である、項目１から１２のいずれか１項に記載の方法。
［項目１４］
投与が、４週間以下の間である、項目１から１３のいずれか１項に記載の方法。
［項目１５］
ＨＣＶ感染症の治療の方法における、ソホスブビル、レジパスビルと一緒の、かつリバビリンと一緒でもよい使用のための、化合物ファルダプレビルまたは医薬として許容されるその塩。
［項目１６］
ＨＣＶ感染症の治療の方法における、ファルダプレビルまたは医薬として許容されるその塩、およびレジパスビルと一緒の、かつリバビリンと一緒でもよい使用のための、化合物ソホスブビル。
［項目１７］
ＨＣＶ感染症の治療の方法における、ファルダプレビルまたは医薬として許容されるその塩、ソホスブビルと一緒の、かつリバビリンと一緒でもよい使用のための、化合物レジパスビル。
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
有効量のＧＬＹＸ−１３を投与することを含む、ＮＭＤＡＲアンタゴニストを急性投与される患者において認知障害を実質的に反転または予防する方法。
【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
不安、生殖能関連障害、炎症症状の治療、認知能力の改善、又は体重の管理での使用を目的とする、１０−ヒドロキシ−２−デセン酸若しくはその誘導体を含む組成物。
【請求項２】
前記組成物が、少なくとも１種の多価不飽和脂肪酸（ＰＵＦＡ）をさらに含む、請求項１に記載の使用を目的とする組成物。
【請求項３】
前記ＰＵＦＡが、ω−３脂肪酸である、請求項２に記載の使用を目的とする組成物。
【請求項４】
前記ＰＵＦＡが、ドコサヘキサエン酸（ＤＨＡ）である、請求項３に記載の使用を目的とする組成物。
【請求項５】
前記１０−ヒドロキシ−２−デセン酸が、約０．２ｍｇ／日〜約５０００ｍｇ／日の量で投与される、請求項１〜４のいずれか１項に記載の使用を目的とする組成物。
【請求項６】
前記ＰＵＦＡが、約１００ｍｇ／日〜約４０００ｍｇ／日の量で投与される、請求項２〜５のいずれか１項に記載の使用を目的とする組成物。
【請求項７】
不安の治療での使用を目的とする、請求項１〜６のいずれか１項に記載の組成物。
【請求項８】
生殖能関連障害の治療での使用を目的とする、請求項１〜６のいずれか１項に記載の組成物。
【請求項９】
前記生殖能関連障害が、特異体質による不妊症、多嚢胞性卵巣症候群、及び原発性卵巣不全を含む、請求項８に記載の使用を目的とする組成物。
【請求項１０】
炎症症状の治療での使用を目的とする、請求項１〜６のいずれか１項に記載の組成物。
【請求項１１】
前記炎症症状が、胃腸障害を含む、請求項１０に記載の使用を目的とする組成物。
【請求項１２】
前記炎症症状が、大腸炎である、請求項１０に記載の使用を目的とする組成物。
【請求項１３】
認識能力の増大を目的とする、請求項１〜６のいずれか１項に記載の組成物。
【請求項１４】
体重の管理を目的とする、請求項１〜６のいずれか１項に記載の組成物。
【請求項１５】
前記体重の管理が、疾病状態を有する被験者の体重の管理である、請求項１４に記載の使用を目的とする組成物。
【請求項１６】
前記体重の管理が、体重減少である、請求項１４に記載の使用を目的とする組成物。
【請求項１７】
前記体重減少が、加齢に関連する、請求項１６に記載の使用を目的とする組成物。
【請求項１８】
前記体重減少が、ストレスに関連する、請求項１６に記載の使用を目的とする組成物。
【請求項１９】
前記組成物が、ヒトの治療のために使用される、請求項１〜１８のいずれか１項に記載の使用を目的とする組成物。
【請求項２０】
前記１０−ヒドロキシ−２−デセン酸が、遊離脂肪酸又はその塩の形態である、請求項１〜１９のいずれか１項に記載の使用を目的とする組成物。
【請求項２１】
前記ＰＵＦＡが、エチルエステル又はグリセリドエステルの形態である、請求項２〜２０のいずれか１項に記載の使用を目的とする組成物。
【請求項２２】
約０．２ｍｇ〜５０００ｍｇの１０−ヒドロキシ−２−デセン酸と、約１００ｍｇ〜４０００ｍｇのＤＨＡを含む組成物。
【請求項２３】
前記組成物が、１つ又は複数のカプセルの形態である、請求項２２に記載の組成物。
【請求項２４】
約１２ｍｇ〜約３００ｍｇの１０−ヒドロキシ−２−デセン酸と、約１００ｍｇ〜約１５００ｍｇのＤＨＡを含む組成物。
【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
括約筋不全障害を患う対象を処置するための医薬組成物であって、間質細胞由来因子１（ＳＤＦ−１）またはＳＤＦ−１をコードする核酸ベクターを処置有効量で含み、かつ、前記対象の括約筋に投与されるものである、医薬組成物。
【請求項２】
前記障害が尿失禁であり、前記括約筋が尿道括約筋である、請求項１に記載の医薬組成物。
【請求項３】
前記障害が胃腸障害であり、前記括約筋が消化管括約筋である、請求項１に記載の医薬組成物。
【請求項４】
前記障害が腸失禁であり、前記括約筋が直腸括約筋である、請求項１に記載の医薬組成物。
【請求項５】
前記括約筋が平滑筋を含む、請求項１〜４のいずれか１項に記載の医薬組成物。
【請求項６】
前記括約筋が骨格筋を含む、請求項１〜４のいずれか１項に記載の医薬組成物。
【請求項７】
前記括約筋が平滑筋および骨格筋の複合体を含む、請求項１〜４のいずれか１項に記載の医薬組成物。
【請求項８】
前記対象がオスである、請求項１〜７のいずれか１項に記載の医薬組成物。
【請求項９】
前記対象がメスである、請求項１〜７のいずれか１項に記載の医薬組成物。
【請求項１０】
前記障害が持続性失禁である、請求項１〜９のいずれか１項に記載の医薬組成物。
【請求項１１】
前記障害が切迫性失禁またはラッチキー失禁である、請求項１〜９のいずれか１項に記載の医薬組成物。
【請求項１２】
前記括約筋に前記ＳＤＦ−１またはＳＤＦ−１をコードする核酸ベクターを注射することによって投与されるものである、請求項１〜１１のいずれか１項に記載の医薬組成物。
【請求項１３】
前記注射が、経管腔的（例えば経尿道または経直腸）注射による、請求項１２に記載の医薬組成物。
【請求項１４】
前記注射が、前記括約筋または括約筋複合体内の複数の部位において（例えば、前記複合体の骨格筋層と平滑筋層との境界またはその近傍に対して）行われる、請求項１１〜１３のいずれか１項に記載の医薬組成物。
【請求項１５】
前記ＳＤＦ−１が哺乳類ＳＤＦ−１アルファまたは哺乳類ＳＤＦ−１ベータである、請求項１〜１４のいずれか１項に記載の医薬組成物。
【請求項１６】
前記ベクターがプラスミドベクターであり、前記ＳＤＦ−１が哺乳類ＳＤＦ−１アルファまたは哺乳類ＳＤＦ−１ベータである、請求項１〜１４のいずれか１項に記載の医薬組成物。
【請求項１７】
失禁の処置に有用な無菌注射組成物であって、ＳＤＦ−１、水性担体、および場合によっては粘度増強剤を含む無菌注射組成物。
【請求項１８】
前記粘度増強剤が存在しコラーゲンを含む、請求項１７に記載の組成物。
【手続補正２】
【補正対象書類名】明細書
【補正対象項目名】００４２
【補正方法】変更
【補正の内容】
【００４２】
上記は本発明を例示しているのであって、本発明を限定するものと解釈してはならない。本発明は以下の特許請求の範囲によって規定され、その均等物も本発明に含まれる。
出願時の特許請求の範囲は以下の通りである。
［請求項１］
括約筋不全障害を患う対象を処置する方法であって、前記対象の括約筋に間質細胞由来因子１（ＳＤＦ−１）を処置有効量で投与するステップを含む方法。
［請求項２］
前記障害が尿失禁であり、前記括約筋が尿道括約筋である、請求項１に記載の方法。
［請求項３］
前記障害が胃腸障害であり、前記括約筋が消化管括約筋である、請求項１に記載の方法。
［請求項４］
前記障害が腸失禁であり、前記括約筋が直腸括約筋である、請求項１に記載の方法。
［請求項５］
前記括約筋が平滑筋を含む、請求項１〜４のいずれか１項に記載の方法。
［請求項６］
前記括約筋が骨格筋を含む、請求項１〜４のいずれか１項に記載の方法。
［請求項７］
前記括約筋が平滑筋および骨格筋の複合体を含む、請求項１〜４のいずれか１項に記載の方法。
［請求項８］
前記対象がオスである、請求項１〜７のいずれか１項に記載の方法。
［請求項９］
前記対象がメスである、請求項１〜７のいずれか１項に記載の方法。
［請求項１０］
前記障害が持続性失禁である、請求項１〜９のいずれか１項に記載の方法。
［請求項１１］
前記障害が切迫性失禁またはラッチキー失禁である、請求項１〜９のいずれか１項に記載の方法。
［請求項１２］
前記投与するステップが、前記括約筋にＳＤＦ−１を注射することによって行われる、請求項１〜１１のいずれか１項に記載の方法。
［請求項１３］
前記注射が、経管腔的（例えば経尿道または経直腸）注射による、請求項１２に記載の方法。
［請求項１４］
前記注射が、前記括約筋または括約筋複合体内の複数の部位において（例えば、前記複合体の骨格筋層と平滑筋層との境界またはその近傍に対して）行われる、請求項１１〜１３のいずれか１項に記載の方法。
［請求項１５］
前記ＳＤＦ−１が哺乳類ＳＤＦ−１アルファまたは哺乳類ＳＤＦ−１ベータである、請求項１〜１４のいずれか１項に記載の方法。
［請求項１６］
前記投与ステップが、前記筋肉に、ＳＤＦ−１をコードする核酸ベクターを注射することによって行われ、前記ベクターが、前記コードされたＳＤＦ−１を発現する、請求項１〜１５のいずれか１項に記載の方法。
［請求項１７］
前記ベクターがプラスミドベクターであり、前記ＳＤＦ−１が哺乳類ＳＤＦ−１アルファまたは哺乳類ＳＤＦ−１ベータである、請求項１６に記載の方法。
［請求項１８］
失禁の処置に有用な無菌注射組成物であって、ＳＤＦ−１、水性担体、および場合によっては粘度増強剤を含む無菌注射組成物。
［請求項１９］
前記粘度増強剤が存在しコラーゲンを含む、請求項１８に記載の組成物。
［請求項２０］
本特許請求の範囲に記載した方法を行う上で使用するための、または本特許請求の範囲に記載した方法を行うための医薬の調製に使用するための、本特許請求の範囲に記載したＳＤＦ−１またはＳＤＦ−１をコードするベクター。
【手続補正書】
【提出日】平成30年5月2日(2018.5.2)
【手続補正１】
【補正対象書類名】明細書
【補正対象項目名】００２３
【補正方法】変更
【補正の内容】
【００２３】
同様に、１−メトキシシクロペンタ−３−イル基と３−メトキシシクロペンタ−１−イル基は、下記のとおり、同一の構造を有する。
【化７】
2017514877.tif 000001
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
特発性肺線維症（ＩＰＦ）と診断された患者を治療するために使用される組成物であって、
前記組成物は、式（Ｉ）の化合物、前記式（Ｉ）の化合物の代謝産物、前記式（Ｉ）の化合物のエステル、前記式（Ｉ）の化合物のエステルの代謝産物、及び、前記したものそれぞれの薬学的に許容される塩からなる群から選択された化合物を含む、組成物。
【化１】
2017514849.tif 000001
（式中、ｍは２から５の整数であり、ｎは３から８の整数であり、Ｘ１及びＸ２は、各々独立的に硫黄、酸素、スルフィニル基、又は、スルホニル基を示し、但し、Ｘ１及びＸ２は、同時に酸素ではない）
【請求項２】
前記式（Ｉ）の化合物は式（ＩＡ）の化合物であり、好ましくは前記化合物は斜方晶系の結晶質多形体で存在する、請求項１に記載の組成物。
【化２】
2017514849.tif 000002
【請求項３】
前記式（Ｉ）の化合物の代謝産物は、式（ＩＢ）の化合物である、請求項１に記載の組成物。
【化３】
2017514849.tif 000003
【請求項４】
前記化合物は経口投与され、好ましくは前記化合物は錠剤又はカプセルとして投与される、請求項１又は２に記載の組成物。
【請求項５】
前記化合物は、液体剤形として投与される、請求項１又は２に記載の組成物。
【請求項６】
前記化合物は、約１００ｍｇ／日から約４、０００ｍｇ／日の範囲の量を１回、２回、又は３回に分けて投与される、請求項１又は２に記載の組成物。
【請求項７】
前記患者の肺の瘢痕化が抑制される、請求項１又は２に記載の組成物。
【請求項８】
前記患者の上昇した肺ヒドロキシプロリンレベルが減少及び／又は抑制される、請求項１又は２に記載の組成物。
【請求項９】
前記患者の上昇した肺密度が減少する、請求項１又は２に記載の組成物。
【請求項１０】
気管支肺胞洗浄液（ＢＡＬＦ）において、前記患者の上昇した総細胞数（ＴＣＣ）が減少する、請求項１又は２に記載の組成物。
【請求項１１】
特発性肺線維症（ＩＰＦ）と診断された患者を治療するために使用される組成物であって、
前記組成物は、式（ＩＢ）の化合物、前記式（ＩＢ）の化合物のエステル、及び、前記したものそれぞれの薬学的に許容される塩からなる群から選択される化合物を含み、好ましくは前記化合物は経口投与される、組成物。
【化４】
2017514849.tif 000004
【請求項１２】
特発性肺線維症（ＩＰＦ）と診断された患者を治療するために使用される組成物であって、
前記組成物は、式（ＩＡ）の化合物、前記式（ＩＡ）の化合物の代謝産物、前記式（ＩＡ）の化合物のエステル、前記式（ＩＡ）の化合物のエステルの代謝産物、及び、前記したものそれぞれの薬学的に許容される塩からなる群から選択された化合物を含み、前記したものの各々は、斜方晶系結晶を含む固体剤形として提供され、好ましくは前記化合物は約１００ｍｇ／日から約４、０００ｍｇ／日の範囲の量を１回、２回、又は３回に分けて投与される、組成物。
【化５】
2017514849.tif 000005
【請求項１３】
前記患者の肺の瘢痕化が抑制され、かつ／又は前記患者の上昇した肺ヒドロキシプロリンレベルが減少及び／又は抑制され、かつ／又は前記患者の上昇した肺密度が減少し、かつ／又は気管支肺胞洗浄液（ＢＡＬＦ）において、前記患者の上昇した総細胞数（ＴＣＣ）が減少する、請求項１２に記載の組成物。
【請求項１４】
前記固体剤形が経口投与される、請求項１２に記載の組成物。
【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
代謝拮抗化学療法剤との同時投与又は逐次投与による癌の治療のために用いられる、免疫応答を惹起するのに適した少なくとも１種のペプチドを含む医薬であって、
前記ペプチドが、
野生型ＲＡＳタンパク質のフラグメントに対応するが、その１個のアミノ酸置換を有する、ペプチドであり、かつ
ＲＡＳタンパク質の１２位又は１３位を含む少なくとも８個のアミノ酸の領域を含み、かつ
前記ペプチドの前記アミノ酸置換が、
それぞれ、前記１２位又は前記１３位におけるアミノ酸置換であり、かつＧ１３Ａ、Ｇ１３Ｃ、Ｇ１３Ｄ、Ｇ１３Ｒ、Ｇ１３Ｓ、Ｇ１３Ｖ、Ｇ１２Ａ、Ｇ１２Ｃ、Ｇ１２Ｄ、Ｇ１２Ｒ、Ｇ１２Ｓ又はＧ１２Ｖの置換から選択されるアミノ酸置換である、
医薬。
【請求項２】
前記少なくとも１種のペプチドが２種以上のペプチドを含み、各種ペプチドが異なるアミノ酸置換を有する、請求項１に記載の医薬。
【請求項３】
前記少なくとも１種のペプチドが、
Ｇ１３Ｄの置換を有するペプチドと、
Ｇ１２Ａの置換を有するペプチドと、
Ｇ１２Ｃの置換を有するペプチドと、
Ｇ１２Ｄの置換を有するペプチドと、
Ｇ１２Ｒの置換を有するペプチドと、
Ｇ１２Ｓの置換を有するペプチドと、
Ｇ１２Ｖの置換を有するペプチドと、
を含む、
請求項１又は２に記載の医薬。
【請求項４】
前記少なくとも１種のペプチドが、配列番号１３によって表される配列からなるペプチドと、配列番号１４によって表される配列からなるペプチドと、配列番号１５によって表される配列からなるペプチドと、配列番号１６によって表される配列からなるペプチドと、配列番号１７によって表される配列からなるペプチドと、配列番号１８によって表される配列からなるペプチドと、配列番号１９によって表される配列からなるペプチドとを含む、請求項３に記載の医薬。
【請求項５】
前記少なくとも１種のペプチドが、
Ｇ１３Ｄの置換を有するペプチドと、
Ｇ１３Ｃの置換を有するペプチドと、
Ｇ１２Ａの置換を有するペプチドと、
Ｇ１２Ｃの置換を有するペプチドと、
Ｇ１２Ｄの置換を有するペプチドと、
Ｇ１２Ｒの置換を有するペプチドと、
Ｇ１２Ｓの置換を有するペプチドと、
Ｇ１２Ｖの置換を有するペプチドと、
を含む、
請求項１又は２に記載の医薬。
【請求項６】
前記少なくとも１種のペプチドが、配列番号１３によって表される配列からなるペプチドと、配列番号１４によって表される配列からなるペプチドと、配列番号１５によって表される配列からなるペプチドと、配列番号１６によって表される配列からなるペプチドと、配列番号１７によって表される配列からなるペプチドと、配列番号１８によって表される配列からなるペプチドと、配列番号１９によって表される配列からなるペプチドと、配列番号２０によって表される配列からなるペプチドとを含む、請求項５に記載の医薬。
【請求項７】
前記代謝拮抗化学療法剤がピリミジンアナログ又はその薬学的に許容可能な塩である、請求項１〜６のいずれか一項に記載の医薬。
【請求項８】
前記ピリミジンアナログがゲムシタビン又はその薬学的に許容可能な塩である、請求項７に記載の医薬。
【請求項９】
前記少なくとも１種のペプチドが、配列番号１３によって表される配列からなるペプチドと、配列番号１４によって表される配列からなるペプチドと、配列番号１５によって表される配列からなるペプチドと、配列番号１６によって表される配列からなるペプチドと、配列番号１７によって表される配列からなるペプチドと、配列番号１８によって表される配列からなるペプチドと、配列番号１９によって表される配列からなるペプチドと、配列番号２０によって表される配列からなるペプチドとを含み、かつ
前記代謝拮抗化学療法剤が、ゲムシタビンである、請求項１〜８のいずれか一項に記載の医薬。
【請求項１０】
前記癌が突然変異ＲＡＳタンパク質を発現する細胞を含む、請求項１〜９のいずれか一項に記載の医薬。
【請求項１１】
前記癌が膵臓癌である、請求項１０に記載の医薬。
【請求項１２】
前記膵臓癌が切除された膵臓癌である、請求項１１に記載の医薬。
【請求項１３】
前記代謝拮抗化学療法剤が、前記少なくとも１種のペプチドの最初の服用の少なくとも３週間後に最初に投与される、請求項１〜１２のいずれか一項に記載の医薬。
【請求項１４】
前記代謝拮抗化学療法剤が該膵臓癌の外科的切除後１２週間以内に最初に投与される、請求項１２に記載の医薬。
【請求項１５】
前記代謝拮抗化学療法剤が、前記少なくとも１種のペプチドの２４時間以内に投与される、請求項１〜１４のいずれか一項に記載の医薬。
【請求項１６】
前記代謝拮抗化学療法剤が、前記少なくとも１種のペプチドが投与された後に投与される、請求項１５に記載の医薬。
【請求項１７】
前記少なくとも１種のペプチドが、１用量当たり０．０１ｍｇ〜１０ｍｇの投与量で投与される、請求項１〜１６のいずれか一項に記載の医薬。
【請求項１８】
前記少なくとも１種のペプチドが、１用量当たり０．１ｍｇ〜２ｍｇの投与量で投与される、請求項１〜１６のいずれか一項に記載の医薬。
【請求項１９】
前記少なくとも１種のペプチドが、１用量当たり０．７ｍｇの投与量で投与される、請求項１〜１６のいずれか一項に記載の医薬。
【請求項２０】
前記代謝拮抗化学療法剤が１００ｍｇ／ｍ２〜１００００ｍｇ／ｍ２の投与量で投与される、請求項１〜１９のいずれか一項に記載の医薬。
【請求項２１】
前記代謝拮抗化学療法剤が５００ｍｇ／ｍ２〜２０００ｍｇ／ｍ２の投与量で投与される、請求項１〜１９のいずれか一項に記載の医薬。
【請求項２２】
前記代謝拮抗化学療法剤が１０００ｍｇ／ｍ２の投与量で投与される、請求項１〜１９のいずれか一項に記載の医薬。
【請求項２３】
前記少なくとも１種のペプチド及び前記代謝拮抗化学療法剤を少なくとも２段階で同時に又は逐次に投与し、投与の各段階を少なくとも１週間あける、請求項１〜２２のいずれか一項に記載の医薬。
【請求項２４】
前記少なくとも１種のペプチド及び前記代謝拮抗化学療法剤を少なくとも３段階で同時に又は逐次に投与し、投与の各段階を少なくとも１週間あける、請求項１〜２２のいずれか一項に記載の医薬。
【請求項２５】
前記少なくとも１種のペプチド及び前記代謝拮抗化学療法剤を少なくとも２段階で同時に又は逐次に投与し、投与の各段階を少なくとも２週間あける、請求項１〜２２のいずれか一項に記載の医薬。
【請求項２６】
前記少なくとも１種のペプチド及び前記代謝拮抗化学療法剤を少なくとも３段階で同時に又は逐次に投与し、投与の各段階を少なくとも２週間あける、請求項１〜２２のいずれか一項に記載の医薬。
【請求項２７】
代謝拮抗化学療法剤との同時投与又は逐次投与による癌の治療のために用いられる、請求項１〜６のいずれか一項に記載の少なくとも１種のペプチドに特異的な少なくとも１種のＴ細胞、又はＭＨＣ分子上に提示された場合に請求項１〜６のいずれか一項に記載の少なくとも１種のペプチドに特異的なＴ細胞を含むＴ細胞製剤。
【手続補正書】
【提出日】平成30年4月18日(2018.4.18)
【手続補正１】
【補正対象書類名】特許請求の範囲
【補正対象項目名】全文
【補正方法】変更
【補正の内容】
【特許請求の範囲】
【請求項１】
i．  固定相にタンパク質含有サンプルをロードして、該固定相に標的タンパク質を結合させる工程；
ii.  結合された前記標的タンパク質を有する固定相をカプリル酸溶液に曝露する工程であって、前記カプリル酸溶液が、遊離カプリル酸を生成するpHであり、遊離カプリル酸に関して測定される濃度が1〜50 mMであるカプリル酸緩衝液である、工程；
iii.  前記標的タンパク質を溶出する工程
を含む、サンプルから前記標的タンパク質を精製するための方法。
【請求項２】
前記標的タンパク質の精製が、前記サンプル中のウイルスの不活性化を含む、請求項１に記載の方法。
【請求項３】
ウイルスを含まないタンパク質溶液を調製するための、請求項１又は２に記載の方法。
【請求項４】
前記カプリル酸溶液が、i)  カプリル酸塩と、ii)  pH 7.0未満のpHで、遊離カプリル酸に関して測定される濃度が少なくとも1 mMの濃度のカプリル酸の溶液をもたらす割合の無機酸又は有機酸との組み合わせを含む、請求項１〜３のいずれか一項に記載の方法。
【請求項５】
前記タンパク質が、抗体、又はその断片、凝固因子、並びに成長ホルモンから成る群から選択される、請求項１〜４のいずれか一項に記載の方法。
【請求項６】
前記サンプルが、発酵培養液、細胞培養、細胞株培地、腹水、組織培養培地、トランスジェニック細胞培地、血漿画分を含むヒト又は動物の血漿から成る群から選択される、請求項１〜５のいずれか一項に記載の方法。
【請求項７】
前記固定相がクロマトグラフィーカラムである、請求項１〜６のいずれか一項に記載の方法。
【請求項８】
前記サンプルが、イオン交換クロマトグラフィーカラム、アフィニティークロマトグラフィーカラム、ミックスモードクロマトグラフィーカラム、高速タンパク質液体クロマトグラフィーカラム、及び吸着流動床(EBA)クロマトグラフィーカラムから選択される固定相にロードされる、請求項７に記載の方法。
【請求項９】
前記カプリル酸溶液が、ウイルスを不活性化し、かつ前記標的タンパク質を変性させないpHを有する、請求項１〜８のいずれか一項に記載の方法。
【請求項１０】
前記カプリル酸溶液が、pH 6.1以下のpHを有する、請求項１〜９のいずれか一項に記載の方法。
【請求項１１】
前記カプリル酸溶液が、遊離カプリル酸に関して測定される濃度が1〜20 mMのカプリル酸緩衝液である、請求項１〜１０のいずれか一項に記載の方法。
【請求項１２】
前記サンプルが、エンベロープウイルス、非エンベロープウイルス、又は非エンベロープウイルスとエンベロープウイルスの両方を含む、請求項１〜１１のいずれか一項に記載の方法。
【請求項１３】
自動化されているか、又は自動化されたタンパク質精製プロセスの一部である、請求項１〜１２のいずれか一項に記載の方法。
【請求項１４】
さらにマイコプラズマを不活性化する、請求項１〜１３のいずれか一項に記載の方法。
【請求項１５】
凝固因子、抗体、又はそのFabから選択されるタンパク質の精製のための方法であって、
i.  アフィニティークロマトグラフィー用の固定相に1つ以上の前記タンパク質を含むサンプルをロードする工程；
ii.  遊離カプリル酸に関して測定される濃度が2〜10 mMで、4.9＜pH＜6.2のpHのカプリル酸溶液に、固定相を曝露し、ウイルスを不活性化し洗い流す工程；
iii.  標的タンパク質を溶出する工程
を含む、方法。
【手続補正書】
【提出日】平成30年4月19日(2018.4.19)
【手続補正１】
【補正対象書類名】特許請求の範囲
【補正対象項目名】全文
【補正方法】変更
【補正の内容】
【特許請求の範囲】
【請求項１】
ヒアルロン酸またはその塩と、硫酸化フカン類および硫酸化ウルバン類から選択される５〜２５ｋＤａの間の分子量を有する硫酸化多糖とを含んでなる組合せ。
【請求項２】
前記ヒアルロン酸またはその塩が、５０〜７５０ｋＤａの間の重量平均分子量を有する、請求項１に記載の組合せ。
【請求項３】
前記重量平均分子量が６０〜１２０ｋＤａの間である、請求項２に記載の組合せ。
【請求項４】
５〜２５ｋＤａの間の分子量を有する前記硫酸化多糖が硫酸化フカンである、請求項１〜３のいずれか一項に記載の組合せ。
【請求項５】
多糖に対するヒアルロン酸の質量比率が０．１〜１０の間である、請求項１〜４のいずれか一項に記載の組合せ。
【請求項６】
繊維芽細胞の増殖を促進するための、請求項１〜５のいずれか一項に記載の組合せを含んでなる局所用組成物。
【請求項７】
皮膚加齢の兆候に対処するための、請求項１〜５のいずれか一項に記載の組合せを含んでなる局所用組成物。
【請求項８】
皮膚病変を処置するための、請求項１〜５のいずれか一項に記載の組合せを含んでなる局所用組成物。
【請求項９】
皮膚の治療および回復を改善するための、請求項１〜５のいずれか一項に記載の組合せを含んでなる局所用組成物。
【請求項１０】
有効成分として、請求項１〜５のいずれか一項に記載の組合せを、少なくとも１つの皮膚科学的または化粧品的に許容可能な賦形剤とともに含んでなる、皮膚科学または化粧組成物。
【請求項１１】
別の有効成分をさらに含んでなる、請求項１０に記載の組成物。
【請求項１２】
前記他の有効成分が、老化防止剤、治療剤、無痛化剤、鎮痒剤、抗ラジカル剤、ＵＶ防止剤、皮膚高分子の合成またはエネルギー代謝を刺激する剤、水和剤、脱色素剤、抗菌剤、抗真菌剤、抗炎症剤、麻酔剤およびそれらの混合物から選択される、請求項１１に記載の組成物。
【請求項１３】
前記他の有効成分がレチンアルデヒドである、請求項１１に記載の組成物。
【請求項１４】
前記他の有効成分がδ−トコフェリル−グルコピラノシドである、請求項１１に記載の組成物。
【請求項１５】
皮膚加齢の兆候に対処するための、請求項１０〜１４のいずれか一項に記載の化粧組成物。
【請求項１６】
切り傷、縫合、表皮剥脱、引掻き傷、擦り傷、外科手術後または美容皮膚科学的処置後の瘢痕、表在性熱傷、日焼けの処置における使用のための、請求項１０に記載の皮膚科学組成物。
【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
式（Ｉ）の構造を有する化合物またはその薬学的に許容可能な塩であって、
【化１】
2017514830.tif 000001
式中、
ＷはＮ、Ｃ−Ｈ、またはＣ−Ｆであり、
Ｘは、水素、ハロゲン、−ＣＮ、随意に置換されたアルキル、随意に置換されたアルキニル、随意に置換されたカルボシクリルアルキニル、随意に置換されたアリール、または随意に置換されたヘテロアリールであり、
Ｙは、水素、随意に置換されたアルキル、随意に置換されたシクロアルキル、または随意に置換されたシクロアルキルアルキルであり、
Ｚは、アルキル、カルボシクリル、Ｃ結合ヘテロシクリル、Ｎ結合ヘテロシクリル、ヘテロシクリルアルキル、ヘテロシクリルアルケニル、−Ｏ−ヘテロシクリル、−Ｎ（Ｒ）−ヘテロシクリル、−Ｏ−ヘテロシクリルアルキル、−Ｎ（Ｒ）−ヘテロシクリルアルキル、−Ｎ（Ｒ）（Ｃ１−Ｃ４アルキレン）−ＮＲ２、−Ｏ（Ｃ１−Ｃ４アルキレン）−ＮＲ２から選択される随意に置換された基であり、および、
Ｒは水素またはＣ１−Ｃ４アルキルである、化合物またはその薬学的に許容可能な塩。
【請求項２】
ＷはＣ−Ｈである、請求項１に記載の化合物またはその薬学的に許容可能な塩。
【請求項３】
ＷはＣ−Ｆである、請求項１に記載の化合物またはその薬学的に許容可能な塩。
【請求項４】
Ｘは水素である、請求項１乃至３のいずれか１つに記載の化合物またはその薬学的に許容可能な塩。
【請求項５】
Ｘはハロゲンである、請求項１乃至３のいずれか１つに記載の化合物またはその薬学的に許容可能な塩。
【請求項６】
Ｘは随意に置換されたアルキンである、請求項１乃至３のいずれか１つに記載の化合物またはその薬学的に許容可能な塩。
【請求項７】
Ｘは随意に置換されたカルボシクリルアルキニルである、請求項１乃至３のいずれか１つに記載の化合物またはその薬学的に許容可能な塩。
【請求項８】
Ｘは随意に置換されたアリールまたは随意に置換されたヘテロアリールである、請求項１乃至３のいずれか１つに記載の化合物またはその薬学的に許容可能な塩。
【請求項９】
Ｘは随意に置換されたアリールである、請求項１乃至３のいずれか１つに記載の化合物またはその薬学的に許容可能な塩。
【請求項１０】
随意に置換されたアリールは随意に置換されたフェニルである、請求項９に記載の化合物またはその薬学的に許容可能な塩。
【請求項１１】
Ｘは随意に置換されたヘテロアリールである、請求項１乃至３のいずれか１つに記載の化合物またはその薬学的に許容可能な塩。
【請求項１２】
随意に置換されたヘテロアリールは、随意に置換されたピリジニル、随意に置換されたピラゾリル、または随意に置換されたインダゾリルから選択される、請求項１１に記載の化合物またはその薬学的に許容可能な塩。
【請求項１３】
Ｚは随意に置換された−Ｏ−ヘテロシクリルアルキルである、請求項１乃至１２のいずれか１つに記載の化合物またはその薬学的に許容可能な塩。
【請求項１４】
Ｚは随意に置換された−Ｎ（Ｈ）−ヘテロシクリルアルキル−である、請求項１乃至１２のいずれか１つに記載の化合物またはその薬学的に許容可能な塩。
【請求項１５】
Ｚは随意に置換された−Ｎ（Ｍｅ）−ヘテロシクリルアルキル−である、請求項１乃至１２のいずれか１つに記載の化合物またはその薬学的に許容可能な塩。
【請求項１６】
ヘテロシクリルアルキル基は式−Ｒｃ−ヘテロシクリルを有し、Ｒｃは随意に置換されたＣ１−Ｃ３アルキレン鎖である、請求項１３乃至１５のいずれか１つに記載の化合物またはその薬学的に許容可能な塩。
【請求項１７】
ヘテロシクリルアルキル基は式−Ｒｃ−ヘテロシクリルを有し、Ｒｃは随意に置換されたＣ１アルキレン鎖である、請求項１３乃至１５のいずれか１つに記載の化合物またはその薬学的に許容可能な塩。
【請求項１８】
ヘテロシクリルアルキル基は式−Ｒｃ−ヘテロシクリルを有し、ヘテロシクリルは随意に置換された窒素含有４−、５−、６−、または７−員のヘテロシクリルである、請求項１３乃至１５のいずれか１つに記載の化合物またはその薬学的に許容可能な塩。
【請求項１９】
Ｚは随意に置換されたＮ結合ヘテロシクリルである、請求項１乃至１２のいずれか１つに記載の化合物またはその薬学的に許容可能な塩。
【請求項２０】
随意に置換されたＮ結合ヘテロシクリルは、４−、５−、６−、または７−員のＮ結合ヘテロシクリルである、請求項１９に記載の化合物またはその薬学的に許容可能な塩。
【請求項２１】
随意に置換されたＮ結合ヘテロシクリルは、６員のＮ結合ヘテロシクリルである、請求項１９に記載の化合物またはその薬学的に許容可能な塩。
【請求項２２】
随意に置換されたＮ結合ヘテロシクリルは、随意に置換されたピペリジンである、請求項１９に記載の化合物またはその薬学的に許容可能な塩。
【請求項２３】
随意に置換されたピペリジンは、４−アミノピペリジンである、請求項２２に記載の化合物またはその薬学的に許容可能な塩。
【請求項２４】
Ｙは水素である、請求項１乃至２３のいずれか１つに記載の化合物またはその薬学的に許容可能な塩。
【請求項２５】
Ｙは随意に置換されたシクロアルキルである、請求項１乃至２３のいずれか１つに記載の化合物またはその薬学的に許容可能な塩。
【請求項２６】
Ｙは随意に置換されたアルキルである、請求項１乃至２３のいずれか１つに記載の化合物またはその薬学的に許容可能な塩。
【請求項２７】
随意に置換されたアルキルは随意に置換されたＣ１−Ｃ３アルキルである、請求項２６に記載の化合物またはその薬学的に許容可能な塩。
【請求項２８】
随意に置換されたアルキルは随意に置換されたＣ１アルキルである、請求項２６に記載の化合物またはその薬学的に許容可能な塩。
【請求項２９】
随意に置換されたアルキルはメチル基である、請求項２６に記載の化合物またはその薬学的に許容可能な塩。
【請求項３０】
式（Ｉ）の化合物またはその薬学的に許容可能な塩、および薬学的に許容可能な賦形剤を含む、医薬組成物。
【請求項３１】
リジンに特異的なデメチラーゼ１酵素を式（Ｉ）の化合物に晒すことにより、リジンに特異的なデメチラーゼ１活性を阻害する、細胞中の遺伝子転写を調節するための製剤の製造における式（Ｉ）の化合物の使用。
【請求項３２】
患者の癌を処置するための製剤の製造における式（Ｉ）の化合物またはその薬学的に許容可能な塩の使用。
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2017514829.tif 000001
に従う化合物（２Ｒ，２’Ｒ）−ビス（（（（（テトラヒドロ−２Ｈ−ピラン−４−イル）オキシ）カルボニル）オキシ）メチル）１，１’−アジポイルビス（ピロリジン−２−カルボキシレート）。
【請求項２】
結晶形態の、請求項１に記載の化合物。
【請求項３】
治療上有効な量の請求項１または請求項２に記載の化合物と、場合により、１種類以上の薬学上許容可能な担体および／または賦形剤とを含んでなる、医薬組成物。
【請求項４】
経口投与のための、請求項３に記載の医薬組成物。
【請求項５】
１以上の投与形態の抗ＳＡＰ抗体と、１以上の投与形態の請求項１〜４のいずれか一項に記載の化合物または医薬組成物とを含んでなる、キットオブパーツ。
【請求項６】
療法における使用のための、請求項３または４に記載の医薬組成物。
【請求項７】
ＳＡＰの枯渇における使用のための、請求項３または４に記載の医薬組成物。
【請求項８】
ＳＡＰ枯渇が有益である疾患または障害の治療における使用のための、請求項３または４に記載の医薬組成物。
【請求項９】
前記疾患または障害が、アミロイドーシス、アルツハイマー病、２型真性糖尿病および変形性関節症からなる群から選択される、請求項８に記載の医薬組成物。
【請求項１０】
前記疾患または障害がアミロイドーシスである、請求項８または９に記載の医薬組成物。
【請求項１１】
前記疾患または障害が全身性アミロイドーシスである、請求項８〜１０のいずれか一項に記載の医薬組成物。
【請求項１２】
アミロイドーシスの治療における使用のための、抗ＳＡＰ抗体と共投与される、請求項３または４に記載の医薬組成物。
【請求項１３】
請求項１〜４のいずれか一項に記載の化合物または医薬組成物と、抗ＳＡＰ抗体とを含んでなる、アミロイドーシスの治療における使用のための、組み合わせ医薬。
【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
創傷を治療する医薬組成物であって、
創傷治癒を促すのに効果的な有効量のＢＲＡＦ阻害剤、及び
医薬的に許容可能なキャリヤ、
を含む、医薬組成物。
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
睡眠障害の治療のためのワレリアナ根の噴霧乾燥メタノール性又はエタノール性エキス、ホップ球花の噴霧乾燥メタノール性エキスと、任意の成分である担体、一種以上の人工甘味料、一種以上の着香料、任意の成分である酸性化剤及び水を含む迅速溶解性顆粒であって、前記顆粒が水又は水性飲料中に溶解され、就寝時間の直前に投与されることを特徴とする迅速溶解性顆粒。
【請求項２】
ワレリアナ根の噴霧乾燥メタノール性エキスがメタノール40-60 ％ (m/m)による抽出により得られ、4-8 :1の薬物天然エキス関係 (DER)を有し、またワレリアナ根の噴霧乾燥エタノール性エキスがエタノール50-80 ％ (v/v)による抽出により得られ、4-7 :1の天然DER を有する、請求項１に記載の顆粒。
【請求項３】
ワレリアナ根の噴霧乾燥メタノール性エキスがメタノール45-51 ％ (m/m)による抽出により得られ、4-8:1の薬物天然エキス関係 (DER)を有し、またワレリアナ根の噴霧乾燥エタノール性エキスがエタノール約70％ (v/v)による抽出により得られ、4-7 :1の天然DER を有する、請求項１に記載の顆粒。
【請求項４】
ホップ球花の噴霧乾燥メタノール性エキスがメタノール35-60 ％ (m/m)による抽出により得られ、3-10:1の天然DER を有する、請求項1から3のいずれか1項に記載の顆粒。
【請求項５】
ホップ球花の噴霧乾燥メタノール性エキスがメタノール40-51 ％ (m/m)による抽出により得られ、3-10:1の天然DER を有する、請求項1から3のいずれか1項に記載の顆粒。
【請求項６】
甘味料がスクラロース、蔗糖及びソルビトールからなる群から選ばれる、請求項１から５のいずれか1項に記載の顆粒。
【請求項７】
着香料がチョコレート、バニラ、シナモン、ブラックベリー及び蜂蜜からなる天然着香料、ネイチャーアイデンティカル着香料又は人工着香料の群から選ばれる、請求項１から６のいずれか1項に記載の顆粒。
【請求項８】
酸性化剤がクエン酸及びアスコルビン酸からなる群から選ばれる、請求項１から７のいずれか1項に記載の顆粒。
【請求項９】
請求項１から８に記載の顆粒の調製方法であって、その方法が
(i) a)ワレリアナ根の乾燥メタノール性又はエタノール性エキス、ホップ球花の乾燥メタノール性エキス、任意の成分である担体、一種以上の人工甘味料、一種以上の着香料及び任意の成分である酸性化剤を含む組成物を水で湿潤させ、そしてb)前記水溶液を噴霧乾燥して噴霧乾燥顆粒を得、又は
(ii) ワレリアナ根の噴霧乾燥メタノール性又はエタノール性エキスをホップ球花の噴霧乾燥メタノール性エキス及び任意の成分である担体と合わせ、そして一種以上の人工甘味料、一種以上の着香料及び任意の成分である酸性化剤を水、前記噴霧乾燥顆粒と混合することを含むことを特徴とする前記方法。
【請求項１０】
工程b)における噴霧乾燥を約80〜110 ℃の噴霧乾燥機の出口空気温度で行なう、請求項９に記載の方法。
【請求項１１】
4-8:1の天然DER を有するワレリアナ根の噴霧乾燥メタノール性又はエタノール性エキス、3-10:1の天然DER を有するホップ球花の噴霧乾燥メタノール性エキス、任意の成分である担体、スクラロース、チョコレート、バニラ、シナモン、ブラックベリー及び蜂蜜からなる群から選ばれた一種以上の着香料、クエン酸及びアスコルビン酸からなる群から選ばれた任意の成分である酸性化剤及び水を含むことを特徴とする迅速溶解性顆粒。
【請求項１２】
実質的に
(A) それぞれ同じ又は異なる着香料とともに請求項１１記載の迅速溶解性顆粒を含むパッケージ中の１個以上のサッシェ；
(B) サッシェの開放が説明され、顆粒 (A)が溶解される、水又は水性飲料の量が示され、かつ異なる患者についてのその投与に最良のタイミングが推奨されている、パッケージリーフレット
からなるパーツのキット。